(57)【要約】【課題】優しいボールを打撃練習するのではなく、難しいタイミングのボールを打撃練習することで、実戦で投手が投げるボールにより近い状況で打撃練習をすることで練習の効果を上げる練習用具を提供する。【解決手段】支持体上方に傾斜した平面に防球ネットをウレタンベルトで端部を巻き付け固定した跳ね返り面にトスしたボールを衝突させ跳ね返らせる。【選択図】  図3
2019037346.tif 000002
【特許請求の範囲】
【請求項１】
支持体上に、水平面に対して傾斜した角形フレームを備え、防球ネットをウレタンベルトにて前記角形フレームに張り付け固定し、前記角形フレーム内に張り付けられた前記防球ネット跳ね返り面にトスされ跳ね返ったボールを打撃することを特徴とする打撃練習用具。
【発明の詳細な説明】
【技術分野】
【０００１】
本発明は、野球の打撃の向上を図る練習具に関する。
【０００２】
従来のトス打撃練習は、人がトスをしたボールを打者が打つ、又は下に置かれたトスマシーンからボールが飛び出すものや、上から機械的にボールをマットの上に落下させて、マットから真上上方に反射したボールを打撃する装置を用いていた。
【発明の概要】
【発明が解決しようとする課題】
【０００３】
従来トス打撃練習に於いては、ボールをトスする人が打者に打ちやすいボールをトスするものであり、又、ボールの飛びだす機械も、ボールが落下するのも打撃練習には不向きである、本発明は、優しいボールを打つのではなく、トスしたボールが変則に跳ね返ってくるボールを打つことで投手が投げるボールと同じタイミングで打撃練習ができる打撃練習用具を提供する。
【課題を解決するための手段】
【０００４】
本発明は、支持体上に、水平面に対して傾斜した角形フレームを備え、防球ネットをウレタンベルトにて前記角形フレームに張り付け固定し、前記角形フレーム内に張り付けられた前記防球ネット跳ね返り面にトスされ跳ね返ったボールを打撃することを特徴とする打撃練習用具を提供する。
また、防球ネットの固定は、ウレタンベルトにて防球ネットの端部周辺を角形フレームに巻き付け固定することが望ましい。
【発明の効果】
【０００５】
本発明を用いた打撃練習では、跳ね返り面(防球ネット)に傾斜を付けた計便な練習具を用いることで、従来のトスをされた打ち易いボールを打撃するだけでなく、跳ね返り面で不規則に跳ね返ったボールを打っことで打撃の技術で一番大切な1・.2・3のリズム、１・２ノー３のリズム、タイミングを即ち、引き付けや間を体感して体が覚え習得することに役立つ練習ができる。
【図面の簡単な説明】
【０００６】
【図１】本発明の一実施例の打撃練習具の概観図である。
【図２】本発明の装置を用いトスされたボールを打者が待つ図である。
【図３】本発明の装置を用いトスされたボールが跳ね返り面で跳ね返る図である。
【図４】本発明の装置を用い跳ね返ったボールを打者が打つ瞬間の図である。
【図５】本発明の装置を用い打者が打った後の図である。
【図６】本発明の装置を用いボールが当たる位置によってボールが違う角度で跳ね返る図である。
【図７】本発明の装置を用いボールが当たる位置によってボールが違う角度で跳ね返る図である。
【発明を実施するための形態】
【０００７】
本発明の打撃練習用具を図1で説明する、1はフレーム、2は垂直フレーム、3は角形フレーム、4は防球ネット、5はウレタンベルト、６はアジャスト、１０はこれらからこうせいされた打撃練習用具である。フレーム１，２，３は鉄フレームで端部が溶接にて固定されている。  ウレタンベルト５は長さ３メートル、直径４ミリのものが適当であり、これを用いた。このウレタンベルト５にて防球ネット４の端部周辺を角形フレームに巻き付け固定している。
【０００８】
長方形状の角形フレーム3に張られた防球ネットは水平面に対して傾斜をした平面であり、前方よりトスをされたボールが当たる場所によって、又はトスされたボールの角度によって不規則に跳ね返る。従来のトス打撃練習ではトスをする人が打つ人に打ちやすい処にトスするが、この打撃練習具ではトスされたボールが不規則に跳ね返るために実際に投手と相対する時と同じような状態で打撃練習ができることで、打者に一番大切なリズム、タイミングが容易に体感して体が覚え習得することが出来る。この様子を図２〜図７に示す。すなわち、本発明の打撃練習用具１０を用いて、トスされ用具１０で不規則に上方に反射するボールを打撃する。
【０００９】
図２のように用具１０に向けてトスされたボール７は、図3，4に示すように用具１０の反射面から上方の打者の打撃位置まで反射し、図５に示す打撃を行う。図６はトスされたボール７が反射される様子を上方から見た状態、図７は同様子を横方向からみた状態を示す。
【００１０】
用具10は、角形フレーム3の端部に防球ネット４をウレタンベルト５で巻き付け固定し、防球ネット４の跳ね返り面にトスされたボールが跳ね返り面に衝突した処により跳ね返り角度が違うために打撃練習には非常に有効な打撃練習用具である。ボールが当たる処たとえば大きく分けて5か所において跳ね返り角度が違うため、ボールの跳ね返り角度を分けることが出来る。真ん中、左右2か所、上下2か所の計5か所では、真ん中は真すぐに跳ね返り、左右は中方向に、上下も中方向に跳ね返る。これは防球ネット４をウレタンベルト５でフレーム３に巻き付け固定してあるためにボールが当たるとフレーム３に近い方のネット紐には大きい張力が発生し、フレームから離れているネット紐には張力が弱いためにボールは弱い方向に跳ね返る。これは上下部も同じである。このように、ボールが当たる処たとえば大きく分けて5か所に応じて跳ね返り角度が違う打撃練習ボールを得ることが出来る。
【００１１】
防球ネット４の横幅は、たとえばホームベースの幅４３.１８ｃｍ(大人用)とし、縦は少し大きめに６０ｃｍほどにし、用具１０は打者の前のホームベース付近に設置する。これはトスする人がトスしやすい。本発明者の検討により、ネット４の傾斜面は約２３、５度が好適であった。なお、支持体の前方にアジャスト６を設けて使用される場所に応じて跳ね返り面の角度を変えることでトスの距離が変わっても打者の打てる範囲にボールが跳ね返るように使うことが出来る。防球ネット４の網目は１画が２ｃｍのものを使用すればよく、2〜４ｃｍが好ましい。本発明者は、野球の硬式ボールおよび軟式ボールをトスして上述の打撃練習が可能なことを確認している。
【００１２】
今までの一般的なトス打撃練習では１・２・３ではなく打撃のリズムが１・２である。これでは打撃リズムに成らず、投手が現実に投げたボールを打つことの練習にはならない。本発明の練習用具を使って練習をすることで、１・２・３のリズムを自然体で体感できる。たとえば右打者では、トスされたボールに対して、１では右足(軸足)に体重を乗せて構え、バットはトップの位置である。２では左足を踏み出す、このときは踵が先行するような形で、この時もまだバットはトップの位置である。トスされたボールが跳ね返り面で跳ね返った時に、３でバットを振り始める。一番初めに動き出すのはバットのグリップからではなく、右足の膝が左に押し込むことが先である。押し込むのに大切な動きは右足の踵が地面から離れない状態で、膝で押し込むことで体重移動がスムーズに下半身から腰に伝わり、力が移動する。膝が始動をする瞬間までバットはここでもトップの位置で待ち、右膝で押し込む、此処で初めて下半身から腰そして上体に、次に腕に力が伝わり、そしてバットが振り出される。後はボールを力一杯引っぱたくことになる。本発明の装置を用いて、緩くトスされ跳ね返るボールを打つことで、この様な複雑な動きが瞬時に考えながら行えることになる。１・２・３のリズムは跳ね返り面でボールが跳ね返り頂点に達するストライクゾーンで打撃する。これはストレートのタイミングで打つ練習に適している。
【００１３】
１・２ノー３はどの様に練習するのかを述べる。トスされたボールに対して、１では軸足に体重を乗せバットはトップの位置、２では左足を踏み出す、踵が先行するような形で、バットはトップの位置である。ノーはトスされたボールが跳ね返り面で跳ね返り頂上に達し落下するまでの間を２の体勢で待つことで間を取る状態であり、頂点にボールが達してボールが落下する時に、３ではバットを振り始める。前述と同様、一番初めに動き出すのはバットのグリップからではなく、右足の膝が左に押し込む事が先で、押し込むのに大切な動きは右足の踵が地面から離れないことで、膝で押し込むことで体重移動がスムーズに下半身から腰に伝わる。バットは此処でもトップの位置で待ち，右膝で押し込み、此処で初めて下半身から腰そして上体に、次に腕に力が伝わり、そしてバットが振り出される。後はボールを力一杯引っぱたく。緩くトスされ不規則に跳ね返り頂点より落下する処を打撃することで１・２ノー３のリズムを体感し引き付け、間を習得することが出来る。１・２ノー３のリズムは跳ね返り面で跳ね返ったボールが頂点に達し落下するのを待って打撃する。これは変化球のタイミングで打つ練習に適している。このとき打球の方向は逆方向に打つことが一層効果を高めることになる。
【符号の説明】
【００１４】
１  下部フレーム
２  垂直フレーム
３  角形フレーム
４  防球ネット
５  ウレタンベルト
６  アジャスト
７  ボール
８  バット
９  打者
１０  打撃練習具
【図１】
2019037346.tif 000003
【図２】
2019037346.tif 000004
【図３】
2019037346.tif 000005
【図４】
2019037346.tif 000006
【図５】
2019037346.tif 000007
【図６】
2019037346.tif 000008
【図７】
2019037346.tif 000009
【手続補正書】
【提出日】平成30年8月8日(2018.8.8)
【手続補正１】
【補正対象書類名】特許請求の範囲
【補正対象項目名】請求項１
【補正方法】変更
【補正の内容】
【請求項１】
支持体上に、水平面に対して傾斜した角形フレームを備え、防球ネットをウレタンベルトにて前記角形フレームに貼り付け固定したことを特徴とする打撃練習用具。